(57)【要約】【課題】ネットワークを用いたサービス仲介装置であって、ユーザーによるサービス利用をスムースに行うことができると共に、サービス提供者による広告出稿の促進を図ることができるサービス仲介装置等を提供する。【解決手段】ネットワークを介してユーザー端末、サービス提供サイト、及び広告サイトと接続可能なサービス仲介装置が、広告サイトに掲載されるサービス提供サイトから提供されるサービスの広告がユーザー端末から指示された際に、その広告のサービスを示す情報と会員登録を促す情報とを示すランディングページをユーザー端末に表示する手段と、当該ページに対するユーザー端末からの指示に従って会員登録の処理を実行する手段と、当該処理の後に、上記広告に掲載されるサービスの利用開始を促す移行ページをユーザー端末に表示し、ユーザー端末からの指示に従ってサービスの利用を可能にする手段を有する。【選択図】    図２
2013214204.tif 000002
【特許請求の範囲】
【請求項１】
ネットワークを介してユーザー端末、サービス提供サイト、及び広告サイトと接続可能なサービス仲介装置であって、
前記広告サイトに掲載される前記サービス提供サイトから提供されるサービスの広告が、前記ユーザー端末から指示された際に、前記指示された広告に掲載される前記サービスを示す情報と会員登録を促す情報とを示すランディングページを、前記ユーザー端末に表示するランディング手段と、
前記ランディングページに対する前記ユーザー端末からの指示に従って、前記会員登録の処理を実行する登録手段と、
前記会員登録の処理後に、前記指示された広告に掲載されるサービスの利用開始を促す移行ページを、前記ユーザー端末に表示し、当該移行ページに対する前記ユーザー端末からの指示に従って、前記ユーザー端末からの当該サービスの利用を可能にする移行手段と、を有する
ことを特徴とするサービス仲介装置。
【請求項２】
請求項１において、更に、
前記会員登録の処理後に、前記会員登録がなされた旨の情報を、前記ランディングページに示されるサービスを提供する前記サービス提供サイトを識別可能な情報と関連付けて記録する成果記録手段を有する
ことを特徴とするサービス仲介装置。
【請求項３】
ネットワークを介してユーザー端末、サービス提供サイト、及び広告サイトと接続可能なコンピューターにサービス仲介の処理を実行させるサービス仲介プログラムであって、
前記広告サイトに掲載される前記サービス提供サイトから提供されるサービスの広告が、前記ユーザー端末から指示された際に、前記指示された広告に掲載される前記サービスを示す情報と会員登録を促す情報とを示すランディングページを、前記ユーザー端末に表示するランディング工程と、
前記ランディングページに対する前記ユーザー端末からの指示に従って、前記会員登録の処理を実行する登録工程と、
前記会員登録の処理後に、前記指示された広告に掲載されるサービスの利用開始を促す移行ページを、前記ユーザー端末に表示し、当該移行ページに対する前記ユーザー端末からの指示に従って、前記ユーザー端末からの当該サービスの利用を可能にする移行工程と、を前記コンピューターに実行させる
ことを特徴とするサービス仲介プログラム。
【請求項４】
ネットワークを介してユーザー端末、サービス提供サイト、及び広告サイトと接続可能なサーバーにおけるサービス仲介方法であって、
前記サーバーが、前記広告サイトに掲載される前記サービス提供サイトから提供されるサービスの広告が、前記ユーザー端末から指示された際に、前記指示された広告に掲載される前記サービスを示す情報と会員登録を促す情報とを示すランディングページを、前記ユーザー端末に表示するランディング工程と、
前記サーバーが、前記ランディングページに対する前記ユーザー端末からの指示に従って、前記会員登録の処理を実行する登録工程と、
前記サーバーが、前記会員登録の処理後に、前記指示された広告に掲載されるサービスの利用開始を促す移行ページを、前記ユーザー端末に表示し、当該移行ページに対する前記ユーザー端末からの指示に従って、前記ユーザー端末からの当該サービスの利用を可能にする移行工程と、を有する
ことを特徴とするサービス仲介方法。
【請求項５】
ネットワークを介してユーザー端末、サービス提供サイト、及び広告サイトと接続可能な、サービス仲介サーバー及び広告代理店サーバーを備えるサービス仲介システムであって、
前記サービス仲介サーバーは、
前記広告サイトに掲載される前記サービス提供サイトから提供されるサービスの広告が、前記ユーザー端末から指示された際に、前記指示された広告に掲載される前記サービスを示す情報と会員登録を促す情報とを示すランディングページを、前記ユーザー端末に表示するランディング手段と、
前記ランディングページに対する前記ユーザー端末からの指示に従って、前記会員登録の処理を実行する登録手段と、
前記会員登録の処理後に、前記指示された広告に掲載されるサービスの利用開始を促す移行ページを、前記ユーザー端末に表示し、当該移行ページに対する前記ユーザー端末からの指示に従って、前記ユーザー端末からの当該サービスの利用を可能にする移行手段と、を有し、
前記広告代理店サーバーは、
前記広告がユーザー端末から指示された際に、当該広告が掲載される前記広告サイトの情報と当該広告のサービスを提供する前記サービス提供サイトを識別可能な情報とを記録する蓄積手段を有する
ことを特徴とするサービス仲介システム。
【発明の詳細な説明】
【技術分野】
【０００１】
本発明は、ネットワークを用いたサービス提供を仲介するサービス仲介装置等に関し、特に、ユーザーによるサービス利用を容易且つスムースに行うことができると共に、サービス提供者による広告出稿の促進及びそれによるサービス仲介サイトへの登録数の増加を図ることができるサービス仲介装置等に関する。
【背景技術】
【０００２】
近年、インターネットの普及に伴い、商品販売、オークション、ゲーム利用などの様々なサービス提供がネットワークを介して盛んに行われている。かかるサービス提供が行われる際には、多くの場合、サービスを利用する複数のユーザーと複数のサービス提供者の間を仲介するサービス仲介サイトが用いられる。
【０００３】
ユーザーがこのサービス仲介サイトを介してあるサービス提供を初めて受けようとする場合には、例えば、あるゲームを利用する場合には、通常、サービス仲介サイトのウェッブページにあるそのサービス（そのゲーム）の欄、あるいは、その他のウェッブページに載せられた当該サービス（当該ゲーム）の広告の欄（例えば、バナー広告）を指示し、その後、当該サービス仲介サイトにおける会員登録を行った後に当該サービス（ゲーム）の提供を受けることができる。また、ゲームなどのサービス提供者はＳＡＰ（ソーシャルアプリケーションプロバイダー）と呼ばれ、ＳＡＰ等のサービス提供者も事前にサービス仲介サイトと契約して登録手続きを行っておく。従って、サービス仲介サイトを介したサービス提供では提供者及び利用者の安心感が得られる。
【０００４】
また、ＳＡＰ等のサービス提供者は、多くのユーザーに自らが提供するサービス（ゲーム等）を利用してもらうために、多数のウェッブサイト上で広告を配信するアドネットワークの手法を用いる場合があるが、その際には、通常、かかる広告を代理して行う広告代理店に依頼する場合が多い。このアドネットワークにより、サービス仲介サイト以外のウェッブページを閲覧しているユーザーをサービス仲介サイトに誘導することができ、その結果、サービス提供者のサービス利用に繋がり得る。
【０００５】
また、この広告から所定のサイトへ誘導する手法に関して、下記非特許文献１には、ランディングページの最適化に関する記載がある。
【先行技術文献】
【非特許文献】
【０００６】
【非特許文献１】インターネット広告用語辞典  “ＬＰＯ”、［online］、［平成２４年３月２７日検索］、インターネット＜ＵＲＬ：http://www.okuramkt.com/dic/mkt/lpo.html＞
【発明の概要】
【発明が解決しようとする課題】
【０００７】
上述したサービス仲介サイトを用いた従来のサービス利用では、ユーザーは、当該サービス仲介サイトへ誘導された後、上述した通り、会員登録手続きを行うことになるが、通常、この登録は当該サービス仲介サイトを利用するための一般的な登録行為であり、ユーザーが利用しようとしているサービスに特化したものではない。そして、当該登録の後に、ユーザーは、当該サービス仲介サイトが扱っているサービスの中から利用しようとしているサービスを選択して利用を開始するという操作を行う必要がある。しかしながら、これらの操作は、ユーザーにとって必ずしもスムースに行えるものではなく、面倒であると感じてサービス利用前にそこから立ち去ってしまう虞がある。
【０００８】
また、上述したアドネットワークによる広告手法には費用がかかり、それによるＳＡＰ等のサービス提供者への負担から広告出稿が促進されないという課題がある。そして、広告が促進されないことにより、サービス仲介サイトにとっても会員登録数も伸びないという結果になる。
【０００９】
上述したようなサービス仲介サイト、サービス提供者、広告代理店、広告掲載者及びユーザーが関わるネットワークシステムにおいて、これら課題を解決できる具体的な方法はこれまで示されていない。
【００１０】
そこで、本発明の目的は、ネットワークを用いたサービス提供を仲介するサービス仲介装置であって、ユーザーによるサービス利用を容易且つスムースに行うことができると共に、サービス提供者による広告出稿の促進及びそれによるサービス仲介サイトへの登録数の増加を図ることができるサービス仲介装置、等を提供することである。
【課題を解決するための手段】
【００１１】
上記の目的を達成するために、本発明の一つの側面は、ネットワークを介してユーザー端末、サービス提供サイト、及び広告サイトと接続可能なサービス仲介装置が、前記広告サイトに掲載される前記サービス提供サイトから提供されるサービスの広告が、前記ユーザー端末から指示された際に、前記指示された広告に掲載される前記サービスを示す情報と会員登録を促す情報とを示すランディングページを、前記ユーザー端末に表示するランディング手段と、前記ランディングページに対する前記ユーザー端末からの指示に従って、前記会員登録の処理を実行する登録手段と、前記会員登録の処理後に、前記指示された広告に掲載されるサービスの利用開始を促す移行ページを、前記ユーザー端末に表示し、当該移行ページに対する前記ユーザー端末からの指示に従って、前記ユーザー端末からの当該サービスの利用を可能にする移行手段と、を有する、ことである。
【００１２】
上記の発明において、その好ましい態様は、更に、前記会員登録の処理後に、前記会員登録がなされた旨の情報を、前記ランディングページに示されるサービスを提供する前記サービス提供サイトを識別可能な情報と関連付けて記録する成果記録手段を有する、ことを特徴とする。
【００１３】
上記の目的を達成するために、本発明の別の側面は、ネットワークを介してユーザー端末、サービス提供サイト、及び広告サイトと接続可能なコンピューターにサービス仲介の処理を実行させるサービス仲介プログラムが、前記広告サイトに掲載される前記サービス提供サイトから提供されるサービスの広告が、前記ユーザー端末から指示された際に、前記指示された広告に掲載される前記サービスを示す情報と会員登録を促す情報とを示すランディングページを、前記ユーザー端末に表示するランディング工程と、前記ランディングページに対する前記ユーザー端末からの指示に従って、前記会員登録の処理を実行する登録工程と、前記会員登録の処理後に、前記指示された広告に掲載されるサービスの利用開始を促す移行ページを、前記ユーザー端末に表示し、当該移行ページに対する前記ユーザー端末からの指示に従って、前記ユーザー端末からの当該サービスの利用を可能にする移行工程と、を前記コンピューターに実行させる、ことである。
【００１４】
上記の目的を達成するために、本発明の更に別の側面は、ネットワークを介してユーザー端末、サービス提供サイト、及び広告サイトと接続可能なサーバーにおけるサービス仲介方法が、前記サーバーが、前記広告サイトに掲載される前記サービス提供サイトから提供されるサービスの広告が、前記ユーザー端末から指示された際に、前記指示された広告に掲載される前記サービスを示す情報と会員登録を促す情報とを示すランディングページを、前記ユーザー端末に表示するランディング工程と、前記サーバーが、前記ランディングページに対する前記ユーザー端末からの指示に従って、前記会員登録の処理を実行する登録工程と、前記サーバーが、前記会員登録の処理後に、前記指示された広告に掲載されるサービスの利用開始を促す移行ページを、前記ユーザー端末に表示し、当該移行ページに対する前記ユーザー端末からの指示に従って、前記ユーザー端末からの当該サービスの利用を可能にする移行工程と、を有する、ことである。
【００１５】
上記の目的を達成するために、本発明の更に別の側面は、ネットワークを介してユーザー端末、サービス提供サイト、及び広告サイトと接続可能な、サービス仲介サーバー及び広告代理店サーバーを備えるサービス仲介システムにおいて、前記サービス仲介サーバーは、前記広告サイトに掲載される前記サービス提供サイトから提供されるサービスの広告が、前記ユーザー端末から指示された際に、前記指示された広告に掲載される前記サービスを示す情報と会員登録を促す情報とを示すランディングページを、前記ユーザー端末に表示するランディング手段と、前記ランディングページに対する前記ユーザー端末からの指示に従って、前記会員登録の処理を実行する登録手段と、前記会員登録の処理後に、前記指示された広告に掲載されるサービスの利用開始を促す移行ページを、前記ユーザー端末に表示し、当該移行ページに対する前記ユーザー端末からの指示に従って、前記ユーザー端末からの当該サービスの利用を可能にする移行手段と、を有し、前記広告代理店サーバーは、前記広告がユーザー端末から指示された際に、当該広告が掲載される前記広告サイトの情報と当該広告のサービスを提供する前記サービス提供サイトを識別可能な情報とを記録する蓄積手段を有する、ことである。
【図面の簡単な説明】
【００１６】
【図１】本発明を適用したサービス仲介装置の実施の形態例に係るネットワーク構成図である。
【図２】サービス仲介サーバー１の機能構成の一部を示した図である。
【図３】広告サイト４に掲載されたバナー広告によってユーザーがゲームを開始するまでの処理を例示したフローチャートである。
【図４】転送手段３２に設定されるＵＲＬの対応関係を例示した図である。
【図５】ランディングページ２１の一例を示した図である。
【図６】移行ページ３１の一例を示した図である。
【発明を実施するための形態】
【００１７】
以下、図面にしたがって本発明の実施の形態について説明する。ただし、本発明の技術的範囲はこれらの実施の形態に限定されず、特許請求の範囲に記載された事項とその均等物まで及ぶものである。
【００１８】
図１は、本発明を適用したサービス仲介装置の実施の形態例に係るネットワーク構成図である。図１に示すサービス仲介サーバー１が本発明を適用したサービス仲介装置であり、本サービス仲介サーバー１では、ユーザーにより広告サイト４のバナー広告が指示された際に、そのバナー広告に掲載されたサービス専用のランディングページをユーザーに表示して会員登録を促すと共に、登録処理後には当該サービス専用のサービス移行ページをユーザーに表示して当該サービスの開始を促す。更に、登録処理が行われた場合には、そのバナー広告を出稿したサービス提供者（ＳＡＰ等）に関連付けて会員登録がなされたことを記録し、当該サービス提供者に支払われる支援金（報奨金）のための情報とされる。これらにより、ユーザーによるサービス仲介サイトを介したサービス利用が容易且つスムースに行われるようになると共に、サービス提供者による費用面での支援ができるようになって広告出稿の促進が図られる。従って、サービス仲介サイトへの登録数及びサービス利用の件数を増加させることができる。
【００１９】
本実施の形態例では、ネットワークを用いたユーザーへのサービス提供がサービス仲介サイトを介して行われ、また、サービスの広告出稿が広告代理店を介して行われる環境を想定している。従って、図１に示されるように、サービスをユーザーへ提供するための本実施の形態例に係るサービス仲介システム１００は、インターネット６を介して互いに接続可能な、サービス仲介サーバー１、複数のＳＡＰサーバー２、広告代理店サーバー３、複数の広告サイト４、及びユーザー端末５を備えている。なお、ここでは、一例として、提供されるサービスがゲーム（の利用）であり、ＳＡＰはゲームの提供者であり、広告サイト４にはゲームのバナー広告が掲載される、ものとして説明する。
【００２０】
サービス仲介サーバー１は、サービス仲介サイトに設けられたサーバーシステムであり、サービス仲介業者によって運営される。本サービス仲介サーバー１は、インターネット６を介した様々なサービス（ゲーム利用を含む）を仲介する機能を担い、本サービス仲介サーバー１が扱うサービスをユーザーが利用する場合には、当該サービス仲介サーバー１への会員登録の後にそのサービス提供を受けることができる。なお、サービス仲介サーバー１のより具体的な機能については後述する。また、サービス仲介サーバー１は、一般的なコンピューターシステムで構成することができ、ＣＰＵ、ＲＡＭ、ＲＯＭ、ＨＤＤ、各種インターフェース装置等を備える。
【００２１】
ＳＡＰサーバー２（２Ａ、２Ｂ、２Ｃ等）は、それぞれ、サービス提供サイトに設けられたサーバーシステムであり、各ＳＡＰによって運営される。各ＳＡＰサーバー２からは、そのＳＡＰのサービスが提供され、ここでは、サービス内容がゲームの提供であるので、各ＳＡＰサーバーには、各ゲームをユーザーに利用させる機能が備えられている。そのゲーム提供には様々な形態を取ることができるが、例えば、ゲームのプログラムを備え、ユーザーにそのプログラムをダウンロードさせる機能を備える。ここでは、ＳＡＰサーバー２Ａ、２Ｂ、２Ｃが、それぞれ、ゲームＡ、ゲームＢ、ゲームＣをユーザーに利用させる機能を備える。上記サービス仲介サーバー１で会員登録を済ませたユーザーは、利用するゲームを提供するＳＡＰサーバー２にアクセスしてゲームを利用することになる。また、ＳＡＰサーバー２は、一般的なコンピューターシステムで構成することができ、ＣＰＵ、ＲＡＭ、ＲＯＭ、ＨＤＤ、各種インターフェース装置等を備える。
【００２２】
広告代理店サーバー３は、広告代理店サイトに設けられたサーバーシステムであり、広告代理店によって運営される。ここで広告代理店は、各ＳＡＰに代わってＳＡＰが提供するサービス、ここではゲームの広告（バナー広告など）を上述したアドネットワークにより広くウェッブ（Ｗｅｂ）上のサイトに掲載する業務を司る。この広告代理店サーバー３は、当該ウェッブ上の広告がユーザーによって指示された際に、ユーザー端末５からアクセスされ、当該アクセス時に、ユーザーをサービス仲介サイト１に導く転送手段３２と情報を取得して蓄積する蓄積手段３３を備える。これら手段の具体的な処理内容については後述する。なお、広告代理店サーバー３は、一般的なコンピューターシステムで構成することができ、ＣＰＵ、ＲＡＭ、ＲＯＭ、ＨＤＤ、各種インターフェース装置等を備える。また、転送手段３２及び蓄積手段３３は、上記ＨＤＤ等に記憶されたプログラム、当該プログラムに従って動作を実行する上記ＣＰＵなどで構成される。
【００２３】
広告サイト４（４ａ、４ｂ、４ｃ等）は、ウェッブ上の不特定のサイトであり、ＳＡＰサーバー２から提供されるサービス（ゲーム）の上記広告（例えば、バナー広告）を掲載する。図１に示す例では、広告サイト４ａ、４ｂ、４ｃに、バナーＡ（ゲームＡのバナー広告）、バナーＢ（ゲームＢのバナー広告）、バナーＣ（ゲームＣのバナー広告）が図のように掲載されている。詳細には後述するが、各バナー広告には上述した広告代理店サイトのＵＲＬがリンクとして割り付けられている。
【００２４】
ユーザー端末５は、サービスを利用するユーザーが用いる端末装置であり、パーソナルコンピューター、携帯電話、いわゆるスマートフォン、モバイル端末など、インターネット６との接続が可能な装置である。ユーザー端末５には、ブラウザ５１が備えられ、ユーザーはブラウザ５１を用いて上記広告サイト４等にアクセスし、サービスの提供を受ける。
【００２５】
図２は、サービス仲介サーバー１の機能構成の一部を示した図である。図２には、ユーザーが広告サイト４に掲載された広告からサービスを利用する際に用いられる機能についてその構成が示されている。ランディング手段１１は、ユーザーが広告サイト４に掲載された広告（バナーＡ等）を指示した際に、ユーザー端末５に表示するランディングページ２１（Ｗｅｂページ）を提供する部分である。提供されるランディングページ２１は、サービス毎に、即ち、ここではゲーム毎に用意され、各ランディングページ２１Ａ、２１Ｂ、２１Ｃは、そのゲームのバナー広告が指示された場合に表示されるようにされる。換言すれば、バナー広告が指示されるとそのバナー広告に掲載されたゲーム専用の（そのゲームに特化した）ランディングページ２１が表示されるようになっている。例えば、バナーＡが指示された際には、ゲームＡ用のランディングページ２１Ａがユーザー端末５に表示される。なお、これらランディングページ２１は、各ゲームに対して予め生成しておいてもよいし、必要なときに生成するようにしてもよい。
【００２６】
登録手段１２は、ユーザーのサービス仲介サイトへの会員登録を行う処理を実行する部分であり、図示していないが、ユーザー端末５へ表示する複数のＷｅｂページが用意される。当該会員登録の処理は、上述したランディングページ２１に対してユーザーの登録指示があった際に行われ、上記Ｗｅｂページのユーザー端末５への表示、上記Ｗｅｂページに対して入力されたユーザー情報の記録、上記Ｗｅｂページを用いたＩＤの発行等がなされる。
【００２７】
移行手段１３は、上記登録処理の終了後に、ユーザーをサービス（ゲーム）利用へ移行させるための移行ページ３１（Ｗｅｂページ）をユーザー端末５に表示する部分である。この移行ページ３１は、サービス毎に、即ち、ここではゲーム毎に用意され、各移行ページ３１Ａ、３１Ｂ、３１Ｃは、そのゲームのバナー広告が指示され、会員登録が行われた場合に表示されるようにされる。換言すれば、バナー広告が指示され、会員登録が終了すると、そのバナー広告に掲載されていたゲーム専用の（そのゲームに特化した）移行ページ３１が表示されるようになっている。例えば、バナーＡが指示された際には、ゲームＡ用の移行ページ３１Ａがユーザー端末５に表示される。なお、これら移行ページ３１は、各ゲームに対して予め生成しておいてもよいし、必要なときに生成するようにしてもよい。
【００２８】
成果記録手段１４は、上記登録手段１２により会員登録が実行された際に、その事実を記録する部分である。具体的には、会員登録を導いたランディングページ２１の（に記載される）ゲームを提供するＳＡＰの識別情報に対して登録がなされた旨の情報を記録する。この記録される成果情報は、会員誘導の成果に対してＳＡＰに支払われる支援金（報奨金）の算出に用いられる。
【００２９】
なお、以上説明したサービス仲介サーバー１の各手段は、上記ＨＤＤ等に記憶されるプログラム、当該プログラムに従って処理を実行する上記ＣＰＵ、記憶装置（上記ＨＤＤ等）などで構成される。
【００３０】
以上説明したような構成を有する本実施の形態例に係るサービス仲介システム１００では、ユーザーが広告サイト４に掲載されたバナー広告からあるゲームを開始するまでの処理に主な特徴があり、以下、その具体的な内容について説明する。
【００３１】
まず、上記バナー広告が広告サイト４に掲載されるまでの処理の流れを説明する。ＳＡＰが新しくゲームを作成した場合などあるゲームをユーザーに提供しようとする場合には、サービス仲介サイトでは、そのゲームのランディングページ２１及び移行ページ３１を、あるいは、これらのページを生成できる情報を準備し、そのランディングページ２１のＵＲＬをそのＳＡＰに知らせる。その後、ＳＡＰは、当該ランディングページに移行可能なバナー広告の広告サイト４への掲載を、広告代理店に依頼する。広告代理店は、当該ＳＡＰと広告を掲載する広告サイト４を決定し、当該広告サイトに上記バナー広告の掲載を依頼する。依頼された広告サイト４では、上記依頼されたバナー広告を所定のページに掲載する。このようにして、図１に示した「バナーＡ」、「バナーＢ」などの広告が表示されるようになる。
【００３２】
図３は、広告サイト４に掲載されたバナー広告によってユーザーがゲームを開始するまでの処理を例示したフローチャートである。以下、図３に基づいて処理の内容を説明する。
【００３３】
まず、ユーザーがユーザー端末５のブラウザ５１を用いて、上記バナー広告が掲載される広告サイト４のＷｅｂページにインターネット６を介してアクセスする。当該アクセスを受けた広告サイト４（例えば、広告サイト４ａ）は、そのＷｅｂページをユーザー端末５に表示する（ステップＳ１）。具体的には、当該ページのデータが広告サイト４からユーザー端末５に送信されてそのデータに従ってブラウザ５１がユーザー端末５の表示部にそのページを表示する。以下、同様の処理は、Ｗｅｂページ提供側がそのページを表示すると表現する。
【００３４】
当該表示後、ユーザーが、当該Ｗｅｂページに掲載されたバナー広告（例えば、「バナーＡ」）に興味を持ち、そのバナー広告のゲームを使用したい場合には、すなわち、そのゲームを初めて利用する場合には、そのバナー広告を指示する（ステップＳ２）。具体的には、表示画面におけるそのバナー広告の掲載場所をクリック又はタップする等の操作を行って指示を行う。以下、同様の指示操作を単に指示すると表現する。
【００３５】
当該操作が行われると、ユーザー端末５のアクセス先が、広告代理店サイト（広告代理店サーバー３）に移行する。上記指示されたバナー広告にはリンク先として広告代理店サイトの所定ＵＲＬが埋め込まれており（記述されており）、一般的なリンク機能により上記移行がなされる。
【００３６】
上記アクセスを受けた広告代理店サーバー３では、バナー広告が指示されたことに関する情報の取得と、アクセス先の変更（ランディングページ２１への誘導）を行う（ステップＳ３）。まず、上記情報の取得では、蓄積手段３３が、上記ユーザーに指示されたバナー広告の広告サイト４（例えば、広告サイト４ａ）のＵＲＬ、及び、その指示がなされた時刻情報等を取得し、それらの情報を、そのバナー広告に掲載されるゲームの識別情報（又はそのゲームを提供するＳＡＰの識別情報）と共に広告代理店サーバー３の記憶手段に記録する。ここで、ゲームの識別情報は、後述するように、アクセスを受けたＵＲＬから特定することができる。また、ゲームとそれを提供するＳＡＰの関係は、予め広告代理店サーバー３に記憶されており、ゲームの識別情報が特定されれば、そのゲームを提供するＳＡＰの識別情報も特定される。かかる情報の取得と記録が、バナー広告が指示される度に実行され、それらの情報が、後に広告サイト４へ支払われる報酬の算出のために蓄積される。
【００３７】
また、上記アクセス先の変更（転送処理）は、転送手段３２によって行われる。転送手段３２には、バナー広告を指示されたことによってユーザー端末５からアクセスされる各ＵＲＬに、転送先のＵＲＬが設定されており、当該転送先のＵＲＬをユーザー端末５に返信することにより、ユーザー端末５のアクセス先を変更させる。
【００３８】
図４は、転送手段３２に設定される上記ＵＲＬの対応関係を例示した図である。図４の左側に列挙されるＵＲＬは、当該広告代理店サーバー３（広告代理店サイト）に設けられている各ゲーム用のＵＲＬであり、上から順番に、ゲームＡ用のＵＲＬ、ゲームＢ用のＵＲＬ、ゲームＣ用のＵＲＬが示されている。これらは、それぞれ、そのゲームのバナー広告にリンク先として埋め込まれている上記ＵＲＬであり、例えば、一番上のＵＲＬは、広告サイト４の「バナーＡ」にリンク先として埋め込まれている。
【００３９】
また、図４の右側には、上記リンク先ＵＲＬ（上記ユーザー端末５からアクセスされるＵＲＬ）に対応づけて設定された上記転送先のＵＲＬが示されている。この転送先ＵＲＬは、対応するリンク先ＵＲＬのゲーム用のランディングページ２１が備えられる（提供される）ＵＲＬである。すなわち、サービス仲介サーバー１（サービス仲介サイト）のランディング手段１１に用意される上述した各ゲーム用のランディングページ２１が表示されるＵＲＬである。例えば、図４の一番上の転送先ＵＲＬは、ゲームＡ用のランディングページ２１Ａが提供されるサービス仲介サイト内のＵＲＬである。
【００４０】
以上のようなＵＲＬの対応関係が設定されているので、転送手段３２は、上述したバナー広告の指示によってユーザー端末５からアクセスを受けた際に、そのアクセスを受けたＵＲＬ（上記リンク先ＵＲＬ）に対応付けられている上記転送先ＵＲＬをユーザー端末５に送信する。例えば、「バナーＡ」が指示された場合には、転送手段３２のゲームＡ用のＵＲＬがアクセスされ、そこに対応付けられているゲームＡ用のランディングページ２１ＡのＵＲＬが返信される。
【００４１】
このように、転送処理が実行されると、ユーザー端末５のブラウザは、上記返信されたＵＲＬにアクセスする。すなわち、サービス仲介サーバー１の、上記指示されたバナー広告に掲載されたゲーム用のランディングページ２１が用意される（提供される）ＵＲＬがアクセスされる。
【００４２】
当該アクセスを受けたランディング手段１１は、そのランディングページ２１をユーザー端末５に表示する（図３のステップＳ４）。ランディングページ２１が予め用意されている場合にはその情報を送信し、そうでない場合には、その時点で生成して情報を送信する。これにより、ユーザーが利用しようとしたゲーム専用のランディングページ２１がユーザー端末５に表示される。
【００４３】
図５は、ランディングページ２１の一例を示した図である。図５には、ゲームＡ用のランディングページ２１Ａを例示しており、ユーザーが広告サイト４の「バナーＡ」を指示すると、このような画面が表示されることになる。当該ランディングページ２１Ａには、サービス仲介サイト（サービス仲介業者）の名称やサービス仲介サイトで提供されるサービスの総称（図５のａ）、ゲームＡを表すロゴや画像（図５のｂ）、ゲームＡの説明（図５のｃ）、及び会員登録をするための指示部（図５のｄ）等が示される。他のゲームについても同様のランディングページ２１が示される。このように、ランディングページ２１は、そのゲーム専用のページであり、そのゲームをやりたいと思ってそのゲームのバナー広告を指示したユーザーが、ゲームを選択する操作を行う必要がない。
【００４４】
ユーザー端末５にランディングページ２１が表示されると、ユーザーは、そこに示される自分が希望したゲームを利用する場合には、会員登録の手続きを行うべく、ランディングページ２１内の上記会員登録をするための指示部を指示する（図３のステップＳ５）。
【００４５】
当該指示がなされると、その情報がサービス仲介サーバー１の登録手段１２によって受け取られ、登録手段１２は、当該ユーザーについての会員登録処理を実行する（図３のステップＳ６）。当該会員登録は、当該サービス仲介サイトを介して提供されるサービスを初めて利用する場合に行われる。
【００４６】
具体的には、登録手続きのためのＷｅｂページが登録手段１２によってユーザー端末５に表示され、そのページに基づいてユーザーによる情報（ユーザー情報など）の入力、サービス仲介サーバー１からの必要情報（ＩＤなど）の発行等が行われる。会員登録が行われたユーザーの情報は、サービス仲介サーバー１の記憶手段（上記ＨＤＤ等）に記録される。
【００４７】
また、登録手段１２は、上記会員登録の指示を受けたランディングページ２１のＵＲＬ、又は、そのランディングページが掲載するゲームの識別情報を取得し、その情報を登録処理が完了した旨と共に移行手段１３に通知する。なお、上記ＵＲＬ又はゲームの識別情報の取得は、ランディングページ２１毎に、上記会員登録の指示を受けた際にアクセスされる登録手段１２内のＵＲＬを変えておくことによって行うことができる。
【００４８】
このようにして会員登録が完了すると、上記通知を受けた移行手段１３が、上記ＵＲＬ又はゲームの識別情報に基づいて、上記会員登録の指示を受けたランディングページ２１と同じゲーム用の移行ページ３１をユーザー端末５に表示する（図３のステップＳ７）。例えば、ゲームＡ用のランディングページ２１Ａから会員登録がなされた場合には、ゲームＡ用の移行ページ３１Ａを表示する。
【００４９】
図６は、移行ページ３１の一例を示した図である。図６には、ゲームＡ用の移行ページ３１Ａを例示しており、ユーザーが広告サイト４の「バナーＡ」を指示後、上記登録手続きを終了すると、このような画面が表示されることになる。当該移行ページ３１Ａには、会員登録が完了した旨のメッセージ（図６のｅ）及びゲームＡの利用開始を指示する領域（図６のｆ）が表示される。なお、ゲームＡの利用開始を指示する領域には、ゲームＡの利用を促す文言が記載されることが好ましい。他のゲームについても同様の移行ページ３１が示される。このように、移行ページ３１は、そのゲーム専用のページであり、会員登録後に、利用するゲームを選択する操作を行う必要がない。
【００５０】
当該移行ページ３１がユーザー端末５に表示され、ユーザーがすぐそのゲームを開始する場合には、上述したゲームの利用開始を指示する領域を指示する（図３のステップＳ８）。当該領域には、リンク先としてそのゲームを提供するＳＡＰサーバー２（例えば、ゲームＡの場合、ＳＡＰサーバー２Ａ）内の当該ゲームのＵＲＬが埋め込まれており、ユーザー端末５は、そのＵＲＬにアクセスすることになる。
【００５１】
アクセスを受けたＳＡＰサーバー２は、そのＵＲＬに用意されるそのゲーム用の開始ページ（Ｗｅｂページ）をユーザー端末５に表示する（図３のステップＳ９）。ユーザーは、そのページに対する所定の操作を行って、ゲームプログラム（例えば、ゲームＡのプログラム）をダウンロードして、そのゲームを開始する。なお、ゲームによっては、上記ダウンロードを伴わずに、ＳＡＰサーバー２上でゲームを開始する。
【００５２】
一方、サービス仲介サーバー１では、上記会員登録処理（図３のステップＳ６）が完了すると、成果記録手段１４が、新しいユーザーの会員登録がなされた旨の情報を、その会員登録を導いたランディングページ２１に掲載されるゲームの識別情報又はそのゲームを提供するＳＡＰの識別情報と関連付けて記録する（図３のステップＳ１０）。この記録される情報が成果情報であり、後にサービス仲介業者からＳＡＰに支払われる報奨金（報酬）の金額を計算するための情報となる。なお、上記ゲームの識別情報は、登録手段１２が取得した、上記会員登録の指示を受けたランディングページ２１のＵＲＬ、又は、そのランディングページが掲載するゲームの識別情報を、登録手段１２から通知されることによって得られる。また、そのゲームを提供するＳＡＰの識別情報は、予めサービス仲介サーバー１に記憶されている、ＳＡＰとそのＳＡＰが提供するゲームを関連付ける情報から得られる。
【００５３】
以上説明したように、バナー広告表示からゲーム利用開始までの処理がなされる。
【００５４】
このような会員登録及びゲーム利用への誘導が繰り返し実行され、その後、所定の間隔で（例えば、月毎に）、成果に対する広告サイト４及びＳＡＰへの支払いが行われる。広告サイト４への支払いは、バナー広告の依頼元であるＳＡＰによって行われ、例えば、バナー広告がユーザーによって指示された回数に従った金額が支払われる。そのために、上述した広告代理サーバー３の蓄積手段３３によって記録された上述の情報が、所定のタイミングで各ＳＡＰサーバー２に送信され、各ＳＡＰは、その情報に基づいて支払い金額を決定する。
【００５５】
また、ＳＡＰへの支払いは、会員登録を導いた成果としてサービス仲介業者から行われ、上述した成果記録手段１４によって記録された情報に基づいて、各ＳＡＰへの支払金額が決定される。すなわち、例えば、会員登録を導いた数に応じて金額が決定される。
【００５６】
なお、上述した本実施の形態例では、広告代理店（サーバー）を介して広告サイト４へのバナー広告の掲載を行ったが、当該広告の掲載をＳＡＰ自身が、又は、サービス仲介業者が行う形態としてもよい。これらの場合には、広告代理店サーバー３の機能をサービス仲介サーバー１が兼ね備える構成とすることができる。また、各ＳＡＰサーバー２が、自らのバナー広告に関して広告代理店サーバー３の機能を兼ね備えるようにしてもよい。
【００５７】
また、サービス仲介サーバー１の登録手段１２がユーザー端末５に表示するＷｅｂページを、登録手続きに導いたランディングページ２１のゲームに特化したページとするようにしてもよい。例えば、ゲームＡ用のランディングページ２１Ａから会員登録の指示がなされた場合には、登録手続きのための上記Ｗｅｂページの背景をゲームＡを表現する内容にすることができる。この場合、登録手段１２に予め各ゲーム用の当該Ｗｅｂページを用意しておいてもよいし、当該Ｗｅｂページを登録処理の際に生成するようにしてもよい。
【００５８】
以上説明したように本実施の形態例及びその変形例におけるサービス仲介システム１００では、ユーザーが広告サイト４のバナー広告からサービス（ゲームの利用）を受けようとする場合、そのサービス（そのゲーム）専用のＷｅｂページから会員登録ができ、登録手続き後もそのサービス（そのゲーム）専用のＷｅｂページからそのサービスを受けることができる。従って、ユーザーは、バナー広告を指示した後、再度その広告に掲載されたサービスを選択するなどの煩わしい操作を行う必要がなく、容易に且つスムースにそのサービスの提供を受けることができる。これにより、ユーザーのサービス利用及び会員登録が促進される。
【００５９】
また、上記ユーザーのサービス（ゲーム）利用の過程で、サービス仲介サイトへの会員登録に導いた上記成果情報が記録され、後に当該情報に基づいてゲームを提供するＳＡＰに対して報奨金（報酬）が支払われるので、ＳＡＰにとっては、広告代理店を介したアドネットワークによる広告出稿の負担が軽減され、当該広告出稿が促進される。これにより、更に、ユーザーのサービス利用及び会員登録が促進される。
【００６０】
また、広告に関しては広告代理店が仲介し、サービス提供に関してはサービス仲介業者が仲介する、このような二重の仲介構造を有するビジネスモデルにおいて、本サービス仲介システム１００では、上述の通り、広告代理店サーバー３の蓄積手段３３及びサービス仲介サーバー１の成果記録手段１４で、それぞれ、上述した情報が記録されるので、それらの情報に基づいて適確な成果報酬を支払うことができる。
【００６１】
また、上述のように、会員登録時のＷｅｂページもバナー広告に掲載されたサービス（ゲーム）専用のページとすることにより、ユーザーは安心してサービス利用までの操作を行うことができ、よりスムースにそのサービスの提供がなされるようになる。
【００６２】
なお、上記の説明では、ユーザーに提供されるサービスがゲームであったが、そのサービスは商品販売など他のものであってもよい。
【符号の説明】
【００６３】
１  サービス仲介サーバー、  ２（２Ａ、２Ｂ、２Ｃ）  ＳＡＰサーバー、  ３  広告代理店サーバー、  ４（４ａ、４ｂ、４ｃ）  広告サイト、  ５  ユーザー端末、  ６  インターネット、  １１  ランディング手段、  １２  登録手段、  １３  移行手段、  １４  成果記録手段、  ２１（２１Ａ、２１Ｂ、２１Ｃ）  ランディングページ、  ３１（３１Ａ、３１Ｂ、３１Ｃ）  移行ページ、  ３２  転送手段、  ３３  蓄積手段、  ５１  ブラウザ、  １００  サービス仲介システム
【図１】
2013214204.tif 000003
【図２】
2013214204.tif 000004
【図３】
2013214204.tif 000005
【図４】
2013214204.tif 000006
【図５】
2013214204.tif 000007
【図６】
2013214204.tif 000008